(57)【要約】【課題】本発明は、指定時刻とその時刻に起きていて欲しい内容を入力情報とし、制御対象の電子機器に通知することで、指定環境を実現可能とすることを目的とする。【解決手段】本発明は、電子機器と通信をする送受信部１１、１２と、電子機器の制御情報を記憶しておく記憶部１３と、ユーザと情報のやり取りをする入出力部１４、１５と、制御情報と入力情報に基づいて電子機器を制御する時系列制御データを作成する解析部１６と、制御データに基づいて所定の時刻になったかどうかを管理するタイマー部１７とで構成される。ユーザから入力を受けると、指定時刻に指定環境を実現するために必要な電子機器の制御データを作成し、現在時刻が制御時刻になると、随時、制御データに基づいて制御対象の電子機器に制御内容を送信する。【選択図】　図２
2004135043.tif 000002
【特許請求の範囲】
【請求項１】
遠隔制御が可能な電子機器から、電子機器製品名と機器固有の識別情報と機器の持つ機能能力とを受信する受信部と、
ユーザの指定する時刻と、その時刻に起きていて欲しい状況を、電子機器製品名を対象動作ごとに分類した分類名および設定値、設定値までの到達時間により表した設定内容を入力情報として受ける入力部と、
ユーザが前記入力情報を確認するための出力部と、
前記対象動作ごとの分類名と前記識別情報と前記機能能力が記載された電子機器データベースと、前記電子機器の中から制御すべき電子機器を割り出すために必要な機能割り出しデータベースおよび機器割り出しデータベースとを保持する記憶部と、
前記入力情報と前記記憶部で保持している前記電子機器データベース、前記機能割り出しデータベース、前記機器割り出しデータベースとで共通の前記対象動作ごとの分類名をキーとして、前記設定内容を実現するために必要な機能を求め、その必要な機能から、制御すべき電子機器、制御時刻、制御内容を求め、時系列の制御データ列を作成する解析部と、
現在時刻と前記制御データ列の制御時刻とを比較し、前記制御時刻が現在時刻になったときに後述の送信部に送信要求をするタイマー部と、
前記タイマー部から送信要求を受け取ったら、前記制御すべき電子機器に対して前記制御データ列に記載されている前記制御内容を送信する送信部とを備えた機器制御携帯端末。
【請求項２】
記憶部において、ユーザ固有の表現を定量的な値に変換するユーザ辞書をさらに保持することにより、
ユーザは入力情報の設定値および到達時間を数値ではなくユーザ固有の用語で入力することを可能にする請求項１記載の機器制御携帯端末。
【請求項３】
記憶部において、ユーザからの入力情報を保持することにより、
入力部において、ユーザから前記記憶部に保持されている入力情報を呼び出す要求を受けたとき、
前記記憶部に保持している前記入力情報を取得できることを特徴とする請求項１記載の機器制御携帯端末。
【請求項４】
入力部において、ユーザから記憶部に保持している入力情報を呼び出す要求を受けたとき、
前記入力情報を出力部に出力し、さらに前記入力情報の変更、追加、削除ができることを特徴とする請求項３記載の機器制御携帯端末。
【請求項５】
遠隔制御が可能な電子機器から、電子機器製品名と機器固有の識別情報と機器の持つ機能能力とを受信する工程と、
ユーザの指定する時刻と、その時刻に起きていて欲しい状況を、電子機器製品名を対象動作ごとに分類した分類名および設定値、設定値までの到達時間により表した設定内容を入力情報として受ける工程と、
前記入力情報と、前記対象動作ごとの分類名、前記識別情報、前記機能能力が記載された電子機器データベースと、前記電子機器の中から制御すべき電子機器を割り出すために必要な機能割り出しデータベースおよび機器割り出しデータベースとで、共通の前記対象動作ごとの分類名をキーとして、前記設定内容を実現するために必要な機能を求め、その必要な機能から、制御すべき電子機器、制御時刻、制御内容を求め、時系列の制御データ列を作成する工程と、
現在時刻と前記制御データ列の制御時刻とを比較し、前記制御時刻が現在時刻になったときに前記制御すべき電子機器に対して前記制御データ列に記載されている前記制御内容を送信する工程とを有した機器制御方法。
【発明の詳細な説明】
【０００１】
【発明の属する技術分野】
本発明は、様々な電子機器に対して適宜制御を行う機器制御携帯端末に関するものである。
【０００２】
【従来の技術】
今日の電子機器（エアコン、電気ポット、テレビ、オーディオプレーヤー、パソコンなど）は様々な設定をリモートで行う機能を備えている。
【０００３】
従来の遠隔制御方法として、ユーザがネットワークを通じて電子機器を遠隔操作する方法が開示されている（例えば特許文献１参照）。
【０００４】
またユーザの場所や設定の対象となる機器を問わず、ユーザの好みに合わせて機器の設定を自動的に行う方法も開示されている（例えば特許文献２参照）。
【０００５】
【特許文献１】
特開２００２−１８６０５７号公報
【特許文献２】
特開２０００−３４９８９６号公報
【０００６】
【発明が解決しようとする課題】
しかし、このような従来の技術では、設定時刻にある環境にしたい場合（例えば朝７：００に向けて部屋が徐々に明るくなる、朝７：００にはお風呂が沸いている、など）に、ユーザが何時にどの機器をどのように設定するかを考える必要があった。
【０００７】
またユーザの場所が変更し、設定対象となる電子機器が変更した場合では、ユーザはどのような機器があるか、その機器にはどのような設定ができるのかを知り、設定可能な対象機器各々に対してタイマー設定をする必要があった。
【０００８】
本発明は、このような実情に鑑みて提案されたものであり、時刻とその時刻に起きていて欲しい設定内容を入力情報として、制御すべき電子機器とその制御内容を算出し、時系列の制御データ列を作成し、その制御データ列に基づき電子機器を制御することで、設定時刻に設定内容の環境を実現可能とすることを目的とする。
【０００９】
【課題を解決するための手段】
上記の目的を達成するために、本発明は、電子機器から機能能力を受信する受信部と、前記電子機器に対して制御内容を送信する送信部と、前記電子機器の機能情報、制御対象となる電子機器を割り出すために必要な機能割り出しデータベース、機器割り出しデータベース、入力情報、および前記入力情報から制御内容を算出するために必要なユーザ辞書、前記電子機器に送信する制御内容を時系列に記述した制御データ列を記憶しておく記憶部と、ユーザからの入力情報などの入力を受ける入力部と、ユーザが入力情報やユーザ辞書の内容などを確認するための出力部と、前記入力情報と前記電子機器データベース、前記機能割り出しデータベース、前記機器割り出しデータベース、前記ユーザ辞書を用いて制御対象となる電子機器を割り出し、その制御時刻、制御内容を算出し、制御データ列を作成する解析部と、前記制御データ列に基づいて制御時刻が現在時刻になったかどうか管理をするタイマー部とを備えた機器制御携帯端末である。
【００１０】
【発明の実施の形態】
以下、本発明の実施の形態について、図面を参照しながら説明する。図１は、本発明の実施の形態での構成例の概要を示す図である。図１では、制御対象の電子機器としてエアコン２０ａ、湯沸し器２０ｂ、電気ポット２０ｃ、電動ブラインド２０ｄ、照明２０ｅ、ＣＤプレーヤー２０ｆが存在する。機器制御携帯端末１０は各電子機器２０に対して制御を行う。各電子機器２０は、詳しくは後述する電子機器製品名、識別情報および機能能力を保持し、これらの情報を機器制御携帯端末１０に送信し、詳しくは後述する制御内容を機器制御携帯端末１０から受信し、制御内容に基づき処理を行う機能を備えている。
【００１１】
図２は機器制御携帯端末１０の構成を示す図である。電子機器２０から電子機器製品名、識別情報および機能能力を受信する受信部１１と、電子機器２０に対して制御内容を送信する送信部１２と、詳しくは後述する電子機器データベース、機能割り出しデータベース、機器割り出しデータベース、入力情報、ユーザ辞書、制御データ列を保持しておく記憶部１３と、ユーザから入力情報などの入力を受ける入力部１４と、ユーザが設定内容やユーザ辞書の内容などを確認するための出力部１５と、制御すべき電子機器を割り出してその制御時刻と制御内容を算出する解析部１６と、現在の時刻を管理するタイマー部１７とで構成されている。
【００１２】
図１１は本発明の処理手順の概要を示すシーケンスチャートである。機器制御携帯端末１０は予め図３に示す電子機器データベース１００ａ、図７に示す機能割り出しデータベース１７０、図８に示す機器割り出しデータベース１８０、図９に示すユーザ辞書１９０、１９１を記憶部１３に保持している。処理開始時は、図３の電子機器データベースの識別情報１０３および機能能力１０４の欄は空白である。電子機器データベース１００ａ、機能割り出しデータベース１７０、機器割り出しデータベース１８０、ユーザ辞書１９０、１９１は機器制御携帯端末１０の購入時に予め保持していてもよいし、インターネットからダウンロードしてきてもよい。またユーザ辞書１９０、１９１はユーザが登録、変更、削除してもよい。電子機器データベース１００ａ、機能割り出しデータベース１７０、機器割り出しデータベース１８０、ユーザ辞書１９０、１９１の対象動作の項目では、電子機器製品が何をするためのものかのカテゴリー分けを表している。具体的には例えば「空調」、「入浴」、「調理」、「明るさ調節」、「音量調節」の５つに分類される。なお、この分類はこの５つに限ったものではない。新規に電子機器製品が登場した場合などに前記５つの分類で対応できない場合は新たに分類を増やすことで対応する。
【００１３】
図１１のＳＴ１において、機器制御携帯端末１０は電子機器２０から受信した情報を電子機器データベース１００ａに登録し、図４に示す電子機器データベース１００ｂを完成させる。この処理手順を詳細に示したシーケンスチャートを図１２に示す。まず始めにＳＴ１１において、ユーザが機器制御携帯端末１０を携帯して室内に入ったとき、あるいは電子機器２０に情報送信要求を出したときに、機器制御携帯端末１０は電子機器２０から電子機器製品名、識別情報、機能能力を受信部１１で受信する。ここで識別情報とは電子機器２０にユニークに付けられた識別情報であり、機器制御携帯端末１０はこの識別情報を用いて電子機器２０に対して制御を行う。また機能能力とは、電子機器２０がもつ機能情報であり、例えば電気ポットの場合では、「沸騰と保温モードの設定が可能」、「保温レベルが１度から１００度まで１００段階で設定が可能」、「沸騰までに要する時間の認知が可能」、「蓋の開閉状態の認知が可能」、「湯量の認知が可能」、「出湯状態の認知が可能」、「出湯のロック状態の認知が可能」などとなる。次にＳＴ１２において、受信した電子機器製品名と電子機器データベース１００ａの電子機器製品名１０２（図３）とを比較する。そしてＳＴ１３において、電子機器データベース１００ａに同一の電子機器製品名が存在するかを判定し、存在する場合にはＳＴ１４において、電子機器データベース１００ａの電子機器製品名が同一の行に、受信した識別情報と機能能力を登録する。またＳＴ１３において、同一の電子機器製品名が存在しない場合は、ＳＴ１５において、電子機器データベース１００ａに新規に行を作成し、受信した電子機器製品名、識別情報、機能能力を登録する。そしてＳＴ１６において、新規の電子機器製品名に対応する対象動作および機能割り出しデータ、機器割り出しデータをインターネットからダウンロードするか、電子機器２０から受信して、電子機器データベース１００ａ、機能割り出しデータベース１７０、機器割り出しデータベース１８０に登録する。このＳＴ１１からＳＴ１６までの作業を全ての電子機器２０に対して行うことで、図４の電子機器データベース１００ｂが完成する。識別情報１０３および機能能力１０４の欄が埋まっている電子機器製品が制御可能な電子機器ということになる。
【００１４】
次に図１１のＳＴ２において、機器制御携帯端末１０は入力部１４でユーザから入力情報を受ける。入力画面の例を図５に示す。またユーザの入力作業のシーケンスチャートを図１３に示す。まずＳＴ２１において設定時刻を入力する。図５では設定時刻は「７：００」と入力されている。次にＳＴ２２において、設定内容ごとに対象動作を選択する。この対象動作は電子機器データベースの対象動作１０１（図３、図４）と同じものである。図５は対象動作をラジオボタンで選択する例である。図５において設定内容とは、設定時刻（図５の例では７：００）に起きていて欲しい状況であり、複数設定できる。個々の設定内容は、図５に示すように、対象動作、説明、レベル、変化の仕方で表される。なお、設定時刻は複数登録しておくことも可能である。次にＳＴ２３において、説明、レベル、変化の仕方が必要な場合は入力をする。説明には、図１１のＳＴ３において入力情報から制御対象の電子機器の割り出しを行うときに、特に電子機器の機能を限定したい場合に、機能割り出しデータベース１７０（図７）の説明の項目と同じ用語を入力（テキストでの入力方式または選択方式など）する。レベルでは設定内容を定量的に表す数値を入力する。変化の具合ではレベルで設定した値までどのように変化をさせるか、を指示する。例えば１時間くらいかけて徐々に室温を下げていき、７：００に室温を２５度にしておきたい場合、ＳＴ２２において空調を選択し、ＳＴ２３においてレベルに２５度、変化の具合に１時間と入力する。また７：００にお風呂を４０度で沸かしておきたい場合は、ＳＴ２２において入力を選択し、ＳＴ２３において、説明にお風呂、レベルに４０度と入力する。レベルや変化の具合では、詳しくは図１１のＳＴ４で説明するが、ユーザ辞書というものを用い、ユーザ辞書に予め用語を登録しておくことで、「徐々に」といった定性的な表現を指定する（テキストでの入力方式または選択方式など）こともできる。次にＳＴ２２とＳＴ２３を設定したい内容の数だけ繰り返し、もう設定したい内容がなければ、入力を終了する。一つの設定時刻に対する入力情報は例えば図６に示すようなデータで、機器制御携帯端末１０の記憶部１３に保持される。なお、予め登録してある設定時刻と設定内容を記憶部１３から読み出して、必要な個所だけユーザが書き換えたり、設定内容を追加したり、削除したりしてもよい。
【００１５】
次に図１１のＳＴ３において、解析部１６で制御対象機器の割り出しをおこなう。シーケンスチャートを図１４に示す。ＳＴ３１からＳＴ３７までは個々の設定内容について行う。まずＳＴ３１において図７に示すような機能割り出しデータベース１７０を用いて、入力された設定内容を実現するために必要な機能情報を得る。機能割り出しデータベース１７０は予め機器制御携帯端末１０の記憶部１３に保持されており、対象動作、説明、必要機能、付加機能の項目がある。必要機能とは設定内容の対象動作を実現するために必ず必要となる機能であり、付加機能とは設定内容の説明で更に限定された内容を実現するためにあると便利な機能である。入力情報で説明の項目に情報がない場合は、機能割り出しデータベース１７０において、対象動作が入力情報と一致する項目から必要機能と付加機能の情報を得る。例えば図６に示す入力情報１６０の設定内容１の場合、対象動作は空調が入力されているが、説明の項目には何も入力されていないので、図７の機能割り出しデータベース１７０において対象動作が空調を示す項目から、必要機能は「室温を変える機能」と「送風機能」ということになる。また付加機能は「室温を変える機能」と「冷たい風ｏｒ暖かい風を送る機能」ということになる。また入力情報１６０の設定内容２の場合では、対象動作には入浴が、説明にはお風呂が入力されているので、機能割り出しデータベース１７０において対象動作が入浴を示し、さらに説明の項目で風呂を示す項目から、必要機能は「蛇口から湯を出す機能」、付加機能は「湯船の水を温める機能」ということになる。
【００１６】
次にＳＴ３２、ＳＴ３４において図８に示すような機器割り出しデータベース１８０を用いて必要機能や付加機能を実現できる電子機器の情報を得る。機器割り出しデータベースは予め機器制御携帯端末１０の記憶部１３に保持されており、対象動作、機能、電子機器製品名の項目がある。先ずＳＴ３２において、付加機能を実現できる電子機器を検索する。機器割り出しデータベースの対象動作、機能において、入力情報の対象動作およびＳＴ３１で得られた付加機能と一致する項目を検索し、電子機器製品名の情報を得る。例えば図６に示す入力情報１６０の設定内容１の場合では、付加機能は「室温を変える機能」と「冷たい風ｏｒ暖かい風を送る機能」のため、これらを実現する電子機器を図８に示す機器割り出しデータベース１８０から検索すると「エアコン」が得られる。また入力情報１６０の設定内容３の場合では、機能割り出しデータベース１７０を参照すると付加機能は「コーヒーの豆を挽く機能」であるため、「コーヒーメーカー」が得られる。次にＳＴ３３において、ＳＴ３２で得られた電子機器が室内に存在するかどうかを、図４に示すような電子機器データベース１００ｂを参照して調べる。エアコンなど室内に存在する場合は、ＳＴ３７において、その電子機器を制御対象の電子機器として設定する。またコーヒーメーカーなど室内に存在しない場合は、ＳＴ３４において、必要機能を満たす電子機器を検索する。検索方法はＳＴ３２と同様である。入力情報１６０の設定内容３の場合では、必要機能は「水を温める機能」であるため、「電気ポット」が得られる。そしてＳＴ３５において、ＳＴ３３と同様に室内にその電子機器が存在するかを調べ、存在する場合はそのＳＴ３７において、その電子機器を制御対象の電子機器として設定する。また存在しない場合は、ＳＴ３６において、実現不可能な設定項目として、出力部１５を介してユーザに通知する。
【００１７】
次に図１１のＳＴ４において、解析部１６で制御時刻・制御内容の割り出しをおこなう。シーケンスチャートを図１５に示す。ＳＴ４１からＳＴ４４までは個々の電子機器について行う。先ずＳＴ４１において、ＳＴ３で求めた制御対象電子機器の機能能力の情報を、図４の電子機器データベース１００ｂから取得する。次にＳＴ４２において、入力情報のレベルが数値として入力されていない場合は図９に示すようなユーザ辞書（レベル）１９０を用いて目標値に変換する。また入力情報の変化の仕方についても同様に、数値として入力されていない場合はユーザ辞書（変化の仕方）１９１を用いて到達時間に変換する。ユーザ辞書（レベル）１９０およびユーザ辞書（変化の仕方）１９１は予めいくつかの用語（レベル、変換の仕方）を機器制御携帯端末１０の記憶部１３に保持しておいてもよいし、インターネットからダウンロードしてきてもよいし、ユーザが個々に登録、変更、削除してもよい。ユーザ辞書（レベル）１９０には対象動作、登録単語、目標値の項目がある。ユーザ辞書（変化の仕方）１９１には対象動作、登録単語、到達時間の項目がある。目標値および到達時間は、到達時間かけて、設定時刻までに目標値になるように制御することを意味する。次にＳＴ４３において、設定時刻から前記の到達時間を引いて、制御を開始する時刻を求める。次にＳＴ４４において、ＳＴ４１で取得した機能能力を用いて、開始時刻から設定時刻までの間で一定時間ごと（例えば１０分間隔）に設定内容を求める。また必要であれば電子機器と送受信を行い、電子機器から取得した情報も用いる。例えば図６に示す入力情報１６０の設定内容１の場合では、レベルは「２５度」と数値が入力されているので変換はせず、変化の仕方については「徐々に」と入力されているので、図９のユーザ辞書（変化の仕方）１９１を用いて到達時間を「１時間」と変換する。そして設定時刻が７：００なので、制御開始時刻は６：００となる。そして１時間かけて少しずつ室温を変化させ、最終的に７：００に目標値の２５度にする。そのため６：００に風量：弱、設定温度２７度で冷房を開始させる。６：１０、６：２０は設定変更なしにして、６：３０に風量：弱、設定温度２６度で設定しなおす。６：４０は設定変更なしで、６：５０に風量：弱、設定温度２５度で設定しなおす。なお、空調の場合に冷房か暖房かは外気温、室温を電子機器から取得して、その温度と目標値の温度の差から判断する。別の例として、図６入力情報１６０の設定内容３の場合では、レベルは「あつあつ」と入力されているので、図９のユーザ辞書（レベル）１９０を用いて「９５度」と変換する。また変化の仕方については指定がないので、ユーザ辞書（変化の仕方）１９１の空欄の場合（デフォルト値）から「３０分」と変換する。制御開始時刻は６：３０となる。ここで、電気ポットから現在の湯量を取得し、満杯状態で沸騰までに要する時間を用いて、取得した湯量を９５度に沸騰させるまでに要する時間を求めて、その時間を設定時刻７：００から引いた時刻を制御開始時刻としてもよい。また湯量を取得したときに電気ポットの中に水が入っていないことが分かった場合は、警告メッセージをユーザに出力するなどしてもよい。そして制御開始時刻に設定温度９５度で沸騰を開始させる。上記ＳＴ４１からＳＴ４４の処理を、ＳＴ３で求めた制御対象の電子機器全てにおいて行う。
【００１８】
次に図１１のＳＴ５において、制御データ列の作成をおこなう。これはＳＴ４で求めた制御時刻・制御内容・制御対象電子機器の情報を、時系列に並べ替える処理で、図１０に示すような制御データ列を作成する。制御対象電子機器は製品名ではなく、識別情報を登録する。
【００１９】
最後に図１１のＳＴ６において、制御時刻が現在時刻になったときに制御内容を制御対象電子機器に送信する。シーケンスチャートを図１６に示す。まずＳＴ６１において、現在時刻を機器制御携帯端末１０のタイマー部１７から取得して、図１１のＳＴ５で作成した制御データ列２００（図１０）の制御時刻と比較し、制御時刻がまだ現在時刻になっていなければ、現在時刻になるまで待つ。制御時刻が現在時刻になった場合は、ＳＴ６２において制御内容の見直しをおこなう。これは、ＳＴ４で求めた制御内容２０３（図１０）のままでよいか、より最適な制御内容がないかの確認である。例えば図６に示す入力情報１６０の設定内容１の場合において６：００にエアコンに室温を問い合わせたところ３０度あり、ＳＴ４で求めた制御内容２０３（図１０）では設定時刻７：００の時点で２５度まで下がらない場合、６：００にエアコンに送信する制御内容を「風量：弱、設定温度２７度」ではなく「風量：中、設定温度２７度」に変更する。また入力情報１６０の設定内容３の場合において、６：３０に電気ポットに湯量を問い合わせたところ、水が入っていなかった場合は、空焚きになってしまうため、制御内容２０３をクリアする。次にＳＴ６３において、見直された制御内容を、制御対象電子機器に送信する。制御内容を受信した電子機器は制御内容に従って処理をおこなう。ＳＴ６１からＳＴ６３の処理を、現在時刻が設定時刻になるか、制御データ列のデータがなくなるまでおこなう。
【００２０】
【発明の効果】
以上の説明のとおり本発明によれば、電子機器を対象動作というカテゴリーに分け、さらに解析部１６においてユーザから入力された設定内容を実現するために必要な機能を求め、その必要な機能から制御対象の電子機器および制御内容を割り出す、というアプローチにより、ユーザは制御したい電子機器について個々に情報を入力する必要がなくなる。そして設定時刻と設定内容（対象動作、補足説明、レベル、変化の仕方）という少しの情報を入力するだけで、その設定内容を実現するために必要な電子機器の制御ができる。また対象動作というカテゴリー分けにより、一つの設定内容で複数の電子機器を制御できる。そのためユーザは個々の電子機器の機能を知る必要はなく、また電子機器各々に対して制御内容を考える必要もなく、ユーザの負担が軽減される。またタイマー部１７によりタイマー機能を実現するため、電子機器にタイマー機能がない場合でも設定時刻に合わせて制御できる。またユーザの場所が変更し、制御可能な電子機器が変更した場合でも、ユーザは設定内容を変更する必要なく、設定時刻に設定内容の環境を実現できる。
【図面の簡単な説明】
【図１】本発明の実施の形態の構成例の概要を示す図
【図２】図１に示す機器制御携帯端末１０の構成を示す図
【図３】機器制御携帯端末１０が保持する電子機器データ１００のフォーマットの一例を示す図（初期状態）
【図４】機器制御携帯端末１０が保持する電子機器データ１００のフォーマットの一例を示す図（電子機器２０が保持する識別情報、機能能力が追加された状態）
【図５】ユーザが機器制御携帯端末１０に入力情報を入力するときの画面（ユーザインターフェース）の一例を示す図
【図６】機器制御携帯端末１０に入力される入力情報１６０のフォーマットの一例を示す図
【図７】機器制御携帯端末１０が保持する機能割り出しデータベース１７０のフォーマットの一例を示す図
【図８】機器制御携帯端末１０が保持する機器割り出しデータベース１８０のフォーマットの一例を示す図
【図９】機器制御携帯端末１０が保持するユーザ辞書１９０（レベル）、１９１（変化の仕方）のフォーマットの一例を示す図
【図１０】機器制御携帯端末１０が作成する制御データ列２００のフォーマットの一例を示す図
【図１１】図１に示す機器制御携帯端末１０において実行される処理概要の一例を説明するシーケンスチャート
【図１２】図１１に示すシーケンスチャートのＳＴ１における電子機器データベースの登録処理の一例を説明するシーケンスチャート
【図１３】図１１に示すシーケンスチャートのＳＴ２におけるユーザの入力処理の一例を説明するシーケンスチャート
【図１４】図１１に示すシーケンスチャートのＳＴ３における制御対象機器の割り出し処理の一例を説明するシーケンスチャート
【図１５】図１１に示すシーケンスチャートのＳＴ４における制御時刻・制御内容の割り出し処理の一例を説明するシーケンスチャート
【図１６】図１１に示すシーケンスチャートのＳＴ６における制御内容を電子機器に送信する処理の一例を説明するシーケンスチャート
【符号の説明】
１０　機器制御携帯端末
１１　受信部
１２　送信部
１３　記憶部
１４　入力部
１５　出力部
１６　解析部
１７　タイマー部
２０　電子機器
１００　電子機器　データベース
１０１　対象動作
１０２　電子機器製品名
１０３　識別情報
１０４　機能能力
１５０　入力画面１
１５１　入力画面２
１６０　入力情報
１７０　機能割り出しデータベース
１８０　機器割り出しデータベース
１９０　ユーザ辞書（レベル）
１９１　ユーザ辞書（変化の仕方）
２００　制御データ列
２０１　制御時刻
２０２　制御対象電子機器（識別情報）
２０３　制御内容
【図１】
2004135043.tif 000003
【図２】
2004135043.tif 000004
【図３】
2004135043.tif 000005
【図４】
2004135043.tif 000006
【図５】
2004135043.tif 000007
【図６】
2004135043.tif 000008
【図７】
2004135043.tif 000009
【図８】
2004135043.tif 000010
【図９】
2004135043.tif 000011
【図１０】
2004135043.tif 000012
【図１１】
2004135043.tif 000013
【図１２】
2004135043.tif 000014
【図１３】
2004135043.tif 000015
【図１４】
2004135043.tif 000016
【図１５】
2004135043.tif 000017
【図１６】
2004135043.tif 000018